(57)【要約】【課題】クエン酸などの有機酸や重曹を洗浄剤として用いるに際し、扱いを簡単とし、かつ無駄もすくなく、洗浄能力を持続させる手段を講じる。【解決手段】まず、クエン酸と重曹の粉体を混合した洗浄剤１２を、通水性の袋体１１で密封して洗浄剤分包体１０を形成する。つぎに、内部に収納空間２２を有し、これが開口２１を通じて外部に開放された、袋体１１よりも洗浄力に優れた洗浄具本体２０を形成する。この分包体１０を洗浄具本体２０に収納して洗浄具１を形成する。作業時には、分包体１０に水が浸み込むに従い、洗浄剤１２が外に徐々に溶け出すため、洗浄力が持続する。また、一定時間に溶け出す量が制限されるため、無駄が少ない。さらに、分包体１０と洗浄具本体２０が一体となっているため、使い勝手がよい。なお、分包体１０の中身がなくなると、新しい分包体１０と交換することで、洗浄具本体２０は再利用できる。【選択図】図３
0003125743.tif 000002
【実用新案登録請求の範囲】
【請求項１】
有機酸の粉体および重曹の粉体のいずれか一方または双方からなる洗浄剤１２を、通水性素材からなる袋体１１で密封して形成される洗浄剤分包体。
【請求項２】
上記有機酸の粉体は、クエン酸の粉体である請求項１に記載の洗浄剤分包体。
【請求項３】
有機酸の粉体および重曹の粉体のいずれか一方または双方からなる洗浄剤１２を、一の通水性素材からなる袋体１１で密封して形成される洗浄剤分包体１０と、
前記一の通水性素材よりも洗浄力に優れた他の通水性素材からなり、洗浄剤分包体１０を収納可能な収納空間２２を内部に有し、この収納空間２２が開口２１を通じて外部に開放された洗浄具本体２０とからなる洗浄具。
【請求項４】
上記有機酸の粉体は、クエン酸の粉体である請求項３に記載の洗浄具。
【考案の詳細な説明】
【技術分野】
【０００１】
この考案は、有機酸または重曹を用いた環境にやさしい洗浄剤の分包体およびこの分包体を収納してなる洗浄具に関する。
【背景技術】
【０００２】
水回りにおける洗浄作業に際しては、合成洗剤の環境に対する負荷の大きさが昨今問題視されているため、より環境負荷の小さな洗浄剤としてクエン酸などの有機酸や重曹（炭酸水素ナトリウム）を用いることが行われはじめている。
クエン酸は、梅などの天然食品に含有され、飲料などの加工食品に添加されている天然成分であり、重曹も胃腸薬などの医薬や食品、歯磨き粉等に用いられる化合物である。
これらは人体に対しても無害であり、下水にそのまま流しても容易に分解されるため、環境に対する負荷も非常に小さい。
【０００３】
これらクエン酸などの有機酸は、水に溶けると酸性を示し、重曹は、水に溶けると弱ア
ルカリ性を示すため、それぞれ洗浄能力を発揮する。たとえば、キッチンのシンクに付着したシミ状のカルシウム汚れなども、粉体のこれらをふりかけ、水を含んだスポンジで擦ることで簡単に落とすことができる。
また、有機酸は、殺菌作用にも優れ、重曹は、油汚れ落としにも好適である。
【０００４】
従来は、これらを用いて洗浄作業を行う場合には、食器などの被洗浄物またはスポンジなどの洗浄具に有機酸や重曹の粉体を振りかけ、被洗浄物と洗浄具とを、蛇口から出る水をかけながら擦り合わせることによっていた。
【０００５】
しかし、洗浄作業のたびに、食器や洗浄具に粉体を振りかけるとなると、面倒である。
また、振り掛けても、すぐに水に洗われて排水口から流れ出てしまうため、無駄が多い。
さらに、食器等に対する接触時間が非常に短いため、洗浄能力が持続しない。
【０００６】
なお、有機酸や重曹をジェル状または液状にして粘性を持たせて、流れにくくし、食器等への接触時間を長引かせることで洗浄能力を高めることも考えられるが、この場合においても一定の限度がある。
【考案の開示】
【考案が解決しようとする課題】
【０００７】
そこで、この考案は、クエン酸などの有機酸や重曹を洗浄剤として用いるに際し、扱いを簡単とし、かつ無駄もすくなく、洗浄能力を持続させる手段を講じることをその課題とする。
【課題を解決するための手段】
【０００８】
上記した課題を解決するため、第一の考案においては、有機酸の粉体および重曹の粉体のいずれか一方または双方からなる洗浄剤を、通水性素材からなる袋体で密封して洗浄剤分包体を構成したのである。
【０００９】
ここで、有機酸とは、生物の生命活動において産出される弱酸性の有機化合物の総称であり、酒石酸、シュウ酸、クエン酸、リンゴ酸、 酢酸、フマル酸、乳酸、プロピオン酸、酪酸、バレリン酸、イソクエン酸などがこれに含まれる。
【００１０】
また、通水性素材とは、水を通しかつ通常の粒径の粉体を通さない素材をいい、不織布、織布、スポンジなどから形成され、目の粗さ、目付け、硬度、厚みなどは特に限定されない。
袋体の厚みについては、シート状の薄手のものから、ブロック状の厚手のものまで様々多様のものが含まれる。
【００１１】
洗浄作業時に、この分包体を用いると、分包体に水が浸み込むに従い、有機酸や重曹が通水性の素材を通じて分包体外に徐々に溶け出す。
そのため、この分包体から食器等の被洗浄物へと、これら有機酸や重曹が水に溶けてなる洗浄剤が連続的に供給されることとなる。
よって、粉体を食器等に振りかけてすぐに水に洗い流される場合に比べて、洗浄力が持続する。
また、通水性素材の目の粗さなどに影響されて一定時間に溶け出す量が制限されるため、無駄が少ない。
さらに、分包密封されているため、振り掛ける場合のように周囲に散乱などすることなく、使い勝手がよい。
【００１２】
なお、洗浄剤として有機酸を用いる場合には、クエン酸が、人体に対する害や環境への負荷も特に少なく、洗浄能力も特に優れるため、好ましい。
【００１３】
上記通水性素材を、目が粗く、厚みのある硬質の不織布などとして、分包体自体を食器等に直接擦り付けて洗浄作業を行ってもよいが、この場合、中身の有機酸や重曹がなくなると使い捨てとなり、資源の無駄遣いである。
また、分包体を、洗浄力が余りないシート状の通水性素材から構成し、これとは別体に、スポンジなどの洗浄具を用いるとなると使い勝手が悪い。
【００１４】
そのため、第二の考案においては、有機酸の粉体および重曹の粉体のいずれか一方または双方からなる洗浄剤を、一の通水性素材からなる袋体で密封して形成される洗浄剤分包体と、前記一の通水性素材よりも洗浄力に優れた他の通水性素材からなり、この洗浄剤分包体を収納可能な収納空間を内部に有し、この収納空間が開口を通じて外部に開放された洗浄具本体とから洗浄具を構成したのである。
【００１５】
ここで、一の通水性素材よりも洗浄力に優れた他の通水性素材とは、一の通水性素材よりも、厚み、目付け、目の粗さ、硬度の少なくともいずれかが大であるため、汚れを擦り取る能力が一の通水性素材に比べて高い通水性素材をいう。
たとえば、一の通水性素材よりも、厚み、目付け、目の粗さ、硬度のいずれもが大きな、不織布、織布、スポンジがこれに該当する。
【００１６】
なお、一の通水性素材は、第一の考案の通水性素材と同様に、水を通しかつ通常の粒径の粉体を通さない素材であるが、他の通水性素材は、水を通しさえすればよく、通常の粒径の粉体が通ることは許容される。
【００１７】
このように、洗浄剤の分包体を、洗浄具本体の開口を通じてその内部に差し込んで、収納空間に収納して用いる構成を採用すると、これらが一体的になるため使い勝手がよい。
そして、分包体自体には、擦り作業などの役目を負わせる必要がなくなるため、洗浄力のあまりない薄手のシート材などから構成することで、分包体の小型化が図られ、材料コストの低減が図られる。
また、分包体の中身がなくなると、新たな分包体を入れ替えることで洗浄具本体は再利用できるため、資源の有効利用が図られる。
【考案の効果】
【００１８】
有機酸や重曹の粉体を通水性素材からなる袋体で密封して洗浄剤分包体を構成したので、使い勝手がよく、洗浄力が持続し、無駄が少ない。
【考案を実施するための最良の形態】
【００１９】
以下、図面を参照しつつこの考案の実施の形態について説明する。
図１のように、実施形態にかかる洗浄具１は、洗浄剤分包体１０（以下、分包体１０と略する。）と、この分包体１０を収納する洗浄具本体２０とからなる。
【００２０】
図２のように、分包体１０は、平面視方形の袋体１１で、クエン酸と重曹の混合粉末からなる洗浄剤１２を密封することにより形成されている。
袋体１１はスパンボンド法などにより製造された薄手の不織布を方形にカットしてなる相似形の一対の第一の通水シートからなる。
これら第一の通水シートは、ポリエチレン、ポリエステルの２層構造となっており、ポリエチレン面を内側に、ポリエステル面を外側にして重ね合わせ、その外縁部をヒートシールすることにより、袋体１１は作製される。
このヒートシールの前に、洗浄剤１２の粉体をまとめて、一対の第一の通水シートの中央部分に挟み込んでおくことで、袋体１１に洗浄剤１２が密封されることとなる。
このように、通水シートで、洗浄剤１２を挟み込んでヒートシールすることにより、別途接着剤等を用いることなく、分包体１０が簡単にかつ低コストで作製され、密封性も良好である。
【００２１】
この洗浄具本体２０は、ニードルパンチ法などにより製造された、上記第一の通水シートよりも厚みの大きい、目の粗い、目付けの大きな、硬質の不織布を長円形にカットしてなる相似形の一対の第二の通水シートからなる。
これら第二の通水シートを、その外縁同士を、一部を残して縫い合わせることにより、洗浄具本体２０は作製される。
そのため、いわゆるごわごわ感が良好であり、擦り落としの性能に優れている。
たとえば、このような素材としては、ポリエステル、ナイロン、アクリルを選択するとよい。
洗浄具本体２０外縁の縫い合わせられていない部分は、開口２１を形成し、洗浄具本体２０内部は空洞となって収納空間２２を形成する。
また、洗浄具本体２０には、水切りの際にフック等に掛けやすいように、その開口２１近辺に掛け紐２３が縫いつけられ、開口２１近辺の内面には雌雄一対の面ファスナ２４が縫い付けられており、開口を閉じることができるようになっている。  
【００２２】
洗浄具１を用いるには、図３のように、洗浄具本体２０の開口２１から分包体１０を内部に差し込んで、図１のように、収納空間２２に収納する。
ここで、収納した後には、図１（ｂ）のように、面ファスナ２４を係合して開口を封緘し、分包体１０が洗浄具本体２０からはみ出さないようにする。
開口２１には、面ファスナ２４に代えて、ジッパやスナップボタン等を取り付けることにより、封緘可能としてもよい。
【００２３】
この状態において、洗浄具１に水をかけると、洗浄具本体２０、分包体１０ともに通水性を有するため、分包体１０の中まで水が浸透し、洗浄剤１２は水に溶けてその水溶液が徐々に洗浄具１外へと溶け出す。
【００２４】
図３のように、洗浄具１を手でつかみ、食器等に擦り付けると、水溶した洗浄剤１２により、カルシウム等の無機酸の汚れは主としてクエン酸により、油汚れは主として重曹により、それぞれすばやく分解される。
そのため、食器等の汚れ落ちが非常に良好である。
もちろん洗浄具１は食器以外に対しても用いることができ、たとえば、シンクの汚れを落とすのにも好適である。
【００２５】
このとき、分包体１０は洗浄具本体２０内部に収納されて一体となっているため、分包体１０と通常のスポンジを用いる場合などのように、バラバラであるのと比べてはるかに作業がしやすい。
また、洗浄作業時には、洗浄剤１２は洗浄具１内部から徐々に溶け出すため、洗浄力が長く持続する。
そして、このように一定時間に溶け出す量が制限されるため、無駄が少なく、洗浄剤１２の有効利用が図られる。
分包体１０内の洗浄剤１２が無くなれば、図１（ｃ）や図３のように、洗浄具本体２０の開口２１を、面ファスナ２４の係合を解除させて開き、この分包体１０を取り出して新たな分包体１０に交換して、引き続きこの洗浄具本体２０を用いて作業を行える。
そのため非常に便利であり、洗浄具本体２０の有効利用が図られる。
【００２６】
洗浄剤１２の溶け出しの量やスピードは、袋体１１や洗浄具本体２０を形成する不織布の目の粗さ、目付け等を調整することで、コントロール可能であり、使用目的に応じてこれらを適宜選択することにより、最適の溶け出しの量やスピードを設定することが可能である。
なお、この実施形態においては、通水シートは、目付け５０ｇ／ｍ２前後のものを使用しており、この場合、通常の食器等を洗う作業環境においては、洗浄剤１２の溶け出し量やスピードがほどよいものとなっている。
【００２７】
この実施形態においては、分包体１０や洗浄具本体２０を不織布製としたが、通水性を有する素材であれば良く、たとえばスポンジや織布で代替してもよい。
これらの製法も特に限定されず、使用目的に応じた粗さや厚みや硬度を持つ素材を得ることが可能な製法が適宜選択される。
また、分包体１０や洗浄具本体２０の形状も特に限定されず、洗浄具本体２０の場合、たとえば、ブロック状、ネット状、ポケット状、クロス状など様々なものが考えられる。
【００２８】
また、分包体１０を、厚みの薄いシート状の袋体１１でなく、これ自体を厚みの大きい、目の粗い、ごわごわ感の良好な、擦り取り能力に優れた素材からなる他の袋体から形成し、別途洗浄具本体２０を用いることなく、分包体１０を直接食器等に擦り付けることで洗浄作業が行えるようにしてもよい。
【００２９】
洗浄剤１２としては、費用対効果や使用目的などを勘案して、クエン酸か重曹かいずれか単体を用いてもよいことは無論である。
さらに、クエン酸をリンゴ酸、 酢酸など他の有機酸で代替してもよいが、その場合、例示したような、人体への害および環境への負荷が小さく、かつ洗浄能力に優れたものがよい。
【図面の簡単な説明】
【００３０】
【図１】（ａ）は洗浄具の平面図、（ｂ）は開口を閉じた状態における（ａ）のＡ−Ａ断面図、（ｃ）は開口を開いた状態における（ａ）のＡ−Ａ断面図
【図２】（ａ）は、洗浄剤の分包体の斜視図、（ｂ）は（ａ）の縦断面図
【図３】洗浄具の使用状態を示す図
【符号の説明】
【００３１】
１  実施形態の洗浄具
１０  洗浄剤の分包体
１１  袋体
１２  洗浄剤
２０  洗浄具本体
２１  開口
２２  収納空間
２３  掛け紐
２４  面ファスナ
【図１】
0003125743.tif 000003
【図２】
0003125743.tif 000004
【図３】
0003125743.tif 000005